(57)【要約】【課題】  銀行または他の機関から価格の流れを受取る匿名取引システムを提供する。【解決手段】  価格の流れは気配値の流れに変換され、自動取引インターフェイスを介して取引システムに入力される。気配値の流れはそれ自体の取引コードを有する。取引コードの信用限度は、取引コードの信用を有する当事者のみが同じ機関の他の取引コードであるよう設定される。これらの取引コードの少なくとも１つはプライムブローカーバンクを表わし、プライムブローカーカスタマーはしたがって、システム上で取引する他の当事者を除外して、機関の価格の流れへのアクセスを有する。配信業者は、取引伝票の記録およびバックオフィスシステムへの取引伝票の通信のために、プライムブローカーカスタマーのトレーダー、プライムブローカーカスタマーの自動取引インターフェイス、およびプライムブローカーカスタマーの取引供給システムに、取引システムから気配値を配信する。【選択図】        図１
2006053927.tif 000002
【特許請求の範囲】
【請求項１】
当事者間で製品を取引するためのシステムであって、
当事者間での製品の取引の実行のために取引先によって提示される気配値同士を一致させるためのマッチングシステムを含み、システム上で取引する当事者は各々、システム上の他の当事者に対してそれ自体を識別する一意的な取引コードを有しており、前記システムはさらに、
システム上で取引する当事者によって提供される気配値の流れを含み、気配値の流れはマッチングシステムに提供され、マッチングシステム上で一意的な取引コードを有し、
マッチングシステムは、システム上で取引する各当事者と可能性がある各取引先との間の取引についての信用限度を記憶するための信用システムをさらに含み、気配値の流れの取引コードは選択された他の取引コードにのみ信用を付与し、それにより、気配値の流れへのアクセスが制約される、当事者間で製品を取引するためのシステム。
【請求項２】
気配値の流れの取引コードは、同じ機関の他の取引コードにのみ信用を付与する、請求項１に記載のシステム。
【請求項３】
同じ機関の他の取引コードは少なくとも１つの取引コードを含み、それを介して、第三者が機関をプライムブローカーとして使用して取引できる、請求項２に記載のシステム。
【請求項４】
機関の他の取引コードに特有の取引システムから気配値を受取り、それらの気配値をプライムブローカーのカスタマーに配信する配信業者を含む、請求項３に記載のシステム。
【請求項５】
気配値はカスタマートレーダー端末に配信される、請求項４に記載のシステム。
【請求項６】
気配値は少なくとも１つのカスタマー自動取引インターフェイスに配信される、請求項４に記載のシステム。
【請求項７】
各々異なる機関からの複数の流れる気配値を含む、請求項１に記載のシステム。
【請求項８】
遠隔の取引システムから取引システムに入力された気配値の流れをさらに含み、遠隔システムからの気配値の流れは、取引システム上で一意的な取引コードを有する、請求項１に記載のシステム。
【請求項９】
所与の取引先に、その取引先が信用を有する取引先からの気配値のみを配信するための手段を含む、請求項１〜８のいずれかに記載のシステム。
【発明の詳細な説明】
【技術分野】
【０００１】
発明の分野
この発明は、商品または金融商品などを含むがそれらに限定されない製品を取引するための自動取引システムに関する。それは特に、ユーザに提示される気配値の質を高めるために流動性の２つ以上の源を統合する自動取引システムに関与する。
【背景技術】
【０００２】
発明の背景
自動取引システムは、株式および外国為替（ＦＸ）商品、たとえばＦＸスポットを含むさまざまな金融商品ならびに貴金属などの商品を含む金融製品といった、幅広い範囲の製品を取引するために、長年にわたって用いられてきた。ＦＸスポット市場には、２つの主なタイプのシステムが存在する。つまり、トレーダー間での電子的な会話のやり取りによって取引が完結される直接取引システムと、トレーダーが匿名でシステムに気配値を提示し、信用限度などのパラメータの影響下で気配値同士が一致される匿名システムとである。取引の当事者の身元は、取引が完了した時点で、トレーダーまでにのみ提供される。
【０００３】
匿名システムは、当事者によって提示された気配値同士が、取引を行なうために一致される、マッチングシステムの一例である。通常、目に見える買い呼び値（bid）および売り呼び値（offer）がシステムに入力され、それらは、トレーダーからの目に見えないヒットまたはテイクによって一致される。任意のそのようなシステムの成功は、取引中の代替可能物の流動性に依存する。流動性は、システム内の気配値の数に直接依存する。流動性は、取引の当事者の能力、および当事者が取引可能な価格に影響を与えるため、取引システムの成功にとって重要である。ＦＸスポット市場では、さまざまな通貨ペアにおける流動性の大半は、単一のシステムに集中している。効果は、プラスのフィードバックの１つである。つまり、流動性の程度が一旦設定されると、トレーダーは、自分たちがそのシステム上で最良価格で取引を実行できることを知り、したがってそのシステム上で注文し、そのためシステムにおける流動性をさらに高める。
【０００４】
インターバンクＦＸスポット市場では、匿名取引の大半は、英国ロンドンのロイターズ（Reuters）ｐｌｃによって提供されているロイターズ・ディーリング３０００スポットマッチングシステム（Reuters Dealing 3000 Spot Matching system）か、または、英国ロンドンのイー・ビィ・エス・グループ・リミテッド（EBS Group Limited）によって提供されているＥＢＳスポットマッチングシステム（EBS Spot Matching system）のいずれかにおいて行なわれている。特定の通貨ペアにおける市場は、通貨ペアのどちらが流動性の大半を有するかに依存して、これらのシステムの一方または他方に集中している。
【０００５】
ＥＢＳプライム（EBS Prime）として市場が利用可能なＥＢＳシステムに対する改良が、ＷＯ２００４／４０４２２に記載されており、その内容はその全体がここに引用により援用される。この文書は、システム上で取引する多くの当事者から信用を供与されないために、さもなければＥＢＳシステム上で取引できなかっであろう、または限られた価格にしかアクセスを持たないであろうより小さな金融機関にアクセスを提供するため、プライムブローカーの使用を開示している。より小さい銀行はプライムブローカーバンクを介して取引可能であり、どのプライムブローカー取引の取引先も、自分たちがプライムブローカーバンク以外の誰かと取引したことに気付かない。プライムブローカーバンクおよびカスタマーバンクは、同じ額について、しかしながらプライムブローカーバンクにとって有利となり得る価格で、取引を完結する。プライムブローカレッジの使用は、カスタマーバンクにとって有利である。なぜなら、それは、カスタマーバンクがさもなければアクセス
を持たないであろう流動性のプールへのアクセスをカスタマーバンクに提供するためである。また、それはプライムブローカーバンクにとって有利である。なぜなら、それによりプライムブローカーバンクは、それら自体の信用を用いる第三者から利益を得ることができるためである。そして、それはシステムオペレータにとって、かつシステム上で取引するすべての当事者にとって有利である。なぜなら、それはシステムにおける気配値の数を増加させ、それにより、取引中の商品の流動性を高めるためである。
【０００６】
流動性を高めるために取られてきた別のアプローチは、単一のインターフェイスを介して、異なる流動性プールをカスタマーが利用できるようにすることである。これは、どの特定のシステムの流動性も高めないが、カスタマーに多数の異なるシステムへのアクセスを同時に提供し、そのため彼らが市場で最良の利用可能な価格を見る機会を増やす。このタイプのシステムの一例が、ＦＸアライアンス（Alliance）ＬＬＣにより、ＦＸＡ１１クォーツ（FXAll Quotes）の商標の下に提供されており、それは、多数の流動性提供者から取られた混合されたレートをカスタマーに表示する。このシステムは、さまざまな機関からの価格を集約し、最良の価格をユーザに提示するポータルである。別の例が、ラバ・トレーディング社（Lava Trading Inc）により、ラバ・カラーブック（Lava Colorbook：登録商標）の商標の下に提供され、ＵＳ６，２７８，９８２に開示されている。他のポータルタイプのシステムが、カルネックス社（Currenex Inc）により、ＦＸトレーズ（FX Trades）の商標の下に提供され、また、マサチューセッツ（Ｍａ）州ボストンのステート・ストリート・コーポレーション（State Street Corporation）により、ＦＸコネクト（FX
Connect：登録商標）の商標の下に提供されている。
【発明の開示】
【発明が解決しようとする課題】
【０００７】
我々は、匿名マッチングシステムなどの自動取引システムの流動性をさらに高める必要があることを理解している。しかしながら、ポータルシステムによって取られるアプローチは好適ではなく、既に匿名マッチングシステム上でカスタマーが利用可能な価格を向上させない。ポータルアプローチは、銀行が流す価格を直接匿名マッチングシステムに統合する。しかしながら、そのような価格の流れを提供する銀行は既にマッチングシステム上で取引しており、銀行にとって追加的な利益はないため、正味の効果は銀行にとって有利ではないであろう。
【課題を解決するための手段】
【０００８】
発明の概要
この発明は、この問題に対処することを目的としている。この発明は、機関が流す価格から得られる気配値を取引システムに供給するシステムおよび方法を提供する。これは、自動取引インターフェイスを介していてもよい。流れる気配値には取引コードが付与される。機関がそれ自体の流す価格を利用されたくない、システム上で取引するすべての取引先については、その取引コードについての信用限度はゼロに設定される。これは、価格を流す機関の他の取引コード以外の当事者をすべて除外し得る。流れる価格を提供する機関はまた、カスタマーにプライムブローカレッジを提供する取引コードも有する。これらのカスタマーはしたがって、システム上で取引する他の当事者を除外して、機関が流す価格へのアクセスを有する。
【０００９】
より特定的には、当事者間で製品を取引するためのシステムが提供され、このシステムは、当事者間での製品の取引の実行のために取引先によって提示される気配値同士を一致させるためのマッチングシステムを含み、システム上で取引する当事者は各々、システム上の他の当事者に対してそれ自体を識別する一意的な取引コードを有しており、前記システムはさらに、システム上で取引する当事者によって提供される気配値の流れを含み、気配値の流れはマッチングシステムに提供され、マッチングシステム上で一意的な取引コー
ドを有し、マッチングシステムは、システム上で取引する各当事者と可能性がある各取引先との間の取引についての信用限度を記憶するための信用システムをさらに含み、気配値の流れの取引コードは選択された他の取引コードにのみ信用を付与し、それにより、気配値の流れへのアクセスが制約される。
【００１０】
この発明の実施例は、プライムブローカレッジを提供する機関が、システムが利用可能な、それら自体の独自の価格の流れを作るよう奨励されるという利点を有する。なぜなら、それは、それら自体のプライムブローカーサービスの魅力を高めるからである。これはシステムの全体的な流動性を高めるので、全体としてシステムに利益を与える。カスタマーは、取引システムおよび機関の価格の流れについて、別個のインターフェイスを必要とするというよりはむしろ単一のインターフェイスを介して、集約された価格へのアクセスを有するため、利益を得る。
【００１１】
好ましくは、複数の機関がシステムに価格の流れを提供する。これらの提供者の各々はまた、プライムブローカーバンクであってもよく、カスタマーは、２つ以上のプライムブローカーバンクのカスタマーであってもよく、プライムブローカーカスタマーが利用可能な価格の質をさらに高める。
【００１２】
ここでこの発明を、添付図面を参照して、例示のみのために説明する。
【発明を実施するための最良の形態】
【００１３】
好ましい実施例の説明
銀行によって作り出される価格供給の一例が、ドイツ銀行（Deutsche Bank）によって作り出されるアウトバーン（Autobahn）価格供給である。アウトバーン電子取引システムは、ドイツ銀行のクライアントに、多数の確定利付セクタにわたるリアルタイムの取引可能価格を提供する。この供給は、気配値に変換された後でＥＢＳスポットマッチングシステムに統合されるＦＸスポット価格の流れを含む。価格の流れが気配値の流れに変換され得る態様は、「自動取引システム」と題された我々の出願ＷＯ２００４／０１２０３２に開示されており、その内容はその全体がここに引用により援用される。この出願に記載された手法の適用により、この、または任意の他の銀行もしくは他の機関から受取られた流れる価格は、気配値の流れに変換され得る。
【００１４】
ここで図面を参照すると、機関からの変換された流れる気配値１０が直接、ＥＢＳシステム１２に供給される。これは、流れる気配値に取引コードを付与することによって達成される。ＥＢＳシステムでは、各立会場には取引コードが付与されている。このコードは、多くのトレーダー端末を含む物理的な立会場を指していてもよく、または、プライムブローカーバンクがプライムブローカー取引とそれ自体のトレーダーによる取引とを区別するために使用し得るものなどの仮想立会場を指していてもよいため、実存するものでも仮想のものでもよい。取引コードは、当該立会場による全取引において使用される４桁のコードである。このため、完了した取引、およびその取引により作られた取引伝票は、取引先をある特定の取引コードとして識別する。
【００１５】
ＥＢＳシステムなどの匿名取引システムは、参加者がシステム上で取引し得る潜在的な取引先に信用を付与することを必要とする。信用限度の使用により、システム上で取引する当事者は、気配値をシステムに提示する当事者の身元を知らなくても、誰と取引するかを調節することができる。ある当事者が別の当事者との取引を、たとえばリスクが大きすぎると考えるために望まない場合、それはその取引先に信用を付与しない。この発明の好ましい一実施例では、所与の当事者に示される気配値はすべて、信用についてイエス／ノー信用マトリックスと突き合わせて予め審査され、そのため、当事者が見る気配値のみ、したがってトレーダーがヒットまたはテイクを試行できる気配値のみが、当事者が信用を
供与し、かつ取引先によって信用が供与された取引先により、既に提示されている。取引が実際に実行可能になる前に、さらなる信用チェックが行なわれ、提案された取引について実際の相互信用が十分に残っていることを確実にする。信用審査に対するこのアプローチは、ＵＳ５，３７５，０５５（トガー（Togher））に開示されている。
【００１６】
信用は、その取引コードについての信用を各可能な取引先取引コードに付与する立会場管理者（ＴＦＡ）によって、所与の当事者に付与される。このため、銀行から受取られる流れる気配値１０に取引コードが付与されるため、システム上のすべての可能な取引先への流れる価格について、信用がＴＦＡによって付与されることが必要である。信用は、同じ機関に属する立会場にのみ付与される。これらは、世界中のさまざまな地理的場所にある立会場であってもよく、１つ以上のプライムブローカー取引コードを含んでいてもよい。取引システムが信用について全気配値を予め審査し、信用がない当事者には気配値を表示しないので、気配値をシステムに流す機関は、それが気配値を見せたくない、または気配値を取引したくない全当事者について信用限度をゼロに設定することにより、それらの気配値を見ることができる者を調節する、ということが理解されるであろう。
【００１７】
好ましい一実施例では、流れる価格取引コードについての信用限度は、流れる価格を提供する機関に属する取引コード以外のすべての取引先について、ゼロに設定される。このため、これらの価格は、銀行自体の取引集団のみに利用可能である。銀行自体のトレーダだけでなく、この銀行がその信用をプライムブローカーカスタマーが利用できるようにしているプライムブローカーバンクでもある場合、上述のＷＯ２００４／４０４２２に開示されているように、流れる気配値は、プライムブローカーカスタマーがプライムブローカーバンクとしてシステムにログオンする際に、プライムブローカーカスタマーにも利用可能になる。このアプローチの結果、プライムブローカーとしての機関を介してシステム上で取引する機関自体のカスタマーは、自分たちがプライムブローカーの信用関係を有する匿名マッチングシステム上で直接取引している場合に通常見るであろうすべての気配値を見、加えて、プライムブローカー機関自体の気配値の流れも見る。これは、潜在的なカスタマーに対するプライムブローカーバンクの魅力を高めるため、プライムブローカーバンクにとって非常に有利である。そのカスタマーは、自分たちが匿名マッチングシステム上で直接取引した場合には見えない気配値へのアクセスを有するだけでなく、匿名マッチングシステム上で取引する他の当事者が見ることのできない気配値へのアクセスも有する。システム上で取引する第三者は、自分たちがアクセスを持たない流動性の源が存在することに気付いている。なぜなら、ＥＢＳシステムは、市場における最良の気配値を、ある特定の立会場によって取引可能な最良の気配値として常時表示するためである。すべてのトレーダーが「ＥＢＳ最良」価格を見ることができるということは、ＥＢＳシステムの１つの特徴である。その価格は、取引中の商品についての、市場での最良の価格である。これは、価格の流れを提供している銀行にとって魅力的である。なぜなら、それは他の者をプライムブローカーカスタマーとして入会登録するよう奨励するためである。
【００１８】
再度図１を参照すると、機関からの価格の流れ１０は最初に、自動取引インターフェイスＡＴＩ１１を介して価格の流れに変換され、それから、同じ取引コード１ＸＹＺから生じる気配値として、匿名取引システム１２に提示される。気配値は次に、システムにおける任意の他の気配値と同様に扱われるが、上述のような信用限度の選択により、機関ＸＹＺの立会場にのみ示される。これは図１では、取引コード１ＸＹＺと取引コードＸＹＺＡとの間に延びる矢印によって表わされる。ここでは、取引コードＸＹＺＡは、その下に機関ＸＹＺの取引コードがすべて位置する包括的な取引コードを表わす。「取引システム」と題された、我々の同時係属中の米国仮特許出願（番号不明）に、隠し取引コードの使用が開示されており、その内容はその全体がここに引用により援用される。
【００１９】
取引コードＸＹＺＡから、気配値および取引情報が配信業者１４に送信され、それは気
配値を、プライムブローカーカスタマーＰＢＣ、自動取引インターフェイスＡＴＩ、および取引に関連する取引伝票情報を受取る取引供給クライアントに配信する。取引供給接続ＤＦ１６が、匿名取引システムと配信業者１４との間に設けられる。取引供給は、イー・ビィ・エス・グループ・リミテッドにより提供される一解決策であり、取引が完了すると決済のために取引伝票を作成してバックオフィスシステムに配信する。配信業者は、市場情報をカスタマーに配信するための既存のＥＢＳシステムの一部であってもよい。このため、それはたとえばＵＳ５，３７３，０５５に開示されているような市場配信業者であってもよく、または、それはＷＯ０１／９８９６０に開示されているようなブローキングノードであってもよく、その内容はここに引用により援用される。任意の他の便利な金融データ配信システムが使用されてもよい。
【００２０】
図２は、この発明のさらなる一実施例を示す。この実施例では、いくつかのプライムブローカーバンクが存在し、その各々はそれ自体が流す価格をシステムに供給する。このため、図示された３つの取引コード、つまり１ＸＹＺ、１ＵＶＷおよび１ＲＳＴの各々は、それ自体の機関から気配値の流れを受取り、匿名取引システム上でそれらの気配値をそれ自体の立会場およびそのプライムブローカーカスタマーのみに利用可能にするのに、システム上の他の取引先すべてについて信用限度をゼロに設定する、取引コードである。配信業者１４は、取引コードのＸＹＺＡ、ＵＶＷＡおよびＲＳＴＡファミリーについての気配値をすべて受取り、図１を参照して説明した態様で、それらを自分たちのカスタマーに配信する。しかしながら、カスタマーの多くは２つ以上の銀行のプライムブローカーカスタマーであり、配信業者は、プライムブローカーカスタマーが利用できる最良の価格のみを見るよう、価格を混合する役割も果たす。
【００２１】
説明された実施例は、プライムブローカーの使用により達成され、ＷＯ２００４／４０４２２に開示されているさらなる流動性を、匿名取引システムを介した取引用に銀行自体の価格の流れをそれらのプライムブローカーカスタマーが利用できるようにすることによって、さらに高めることができる。カスタマーの観点からは、単一のシステム上で取引しながら最良の可能な価格を保証され、そのためいくつかのシステムを同時に使用し、監視し、それらに加入する必要がなくなるため、このことは非常に望ましい。プライムブローカーバンクの観点からは、それは、そのプライムブローカーサービスの価値を高め、したがって収入を増加できるため、有利である。システムオペレータの観点からは、それは、概して通常なら信用不足のためにシステム上で取引できないであろうカスタマーである、選ばれたカスタマーのために、増加した流動性を導入するため、有利である。これはシステムにおける気配値の量を増加させ、そのため、システムにおける全ユーザについての流動性およびシステムオペレータへの収入を増加させ、このため、システム上で利用可能な価格の質を高める。
【００２２】
図１および図２に関して説明されたシステムでは、機関のカスタマーによって受取られた気配値は配信業者によって集約され、そのためカスタマーは、その源が何であれ、最良の価格のみを見る。機関自体の価格には時間の優先順位が与えられており、そのため、マッチングシステムの価格が機関自体の価格と同じである場合には、機関の価格が最初に取引される。図２の実施例では、２つ以上の機関の価格の流れが最良の価格を有し得る。この場合、カスタマーは好ましいプライムブローカーバンクを選択してもよい。
【００２３】
説明された実施例では、価格が反転可能であり、流す価格をシステムに供給する機関を裁定取引に対してオープンにする。これは、たとえば、機関から受取られる価格の流れが匿名マッチングシステムよりも幾分遅く流れる場合に起こり得る。マッチングシステムは、裁定取引にさらされることが最小限に抑えられることを確実にするように構成されている。この状況は、機関が流す買い呼び値が取引システム上での最良の取引可能な売り呼び値よりも低い場合、または機関が流す売り呼び値が取引システムの最良の取引可能な買い
呼び値よりも低い場合に生じる。裁定取引の可能性は単に、これらの状況において機関の買い呼び値または売り呼び値を除去することによって除去される。
【００２４】
プライムブローカーバンクは、配信業者を介してプライムブローカーカスタマーに渡される価格への閲覧専用アクセスを有していてもよい。プライムブローカーへの表示は、最良のプライムブローカーカスタマーの買い呼び値および売り呼び値を示す。
【００２５】
この発明のさらに別の実施例では、流動性の他のプールが、上述の態様でシステムに導入されてもよい。これらの流動性プールは、システム上でプライムブローカーとしても機能する機関からの価格の流れだけでなく、他の機関からの価格の流れであっても、または他の取引システムからの気配値でさえあってもよい。
【００２６】
価格をプライムブローカーカスタマーに配信するだけでなく、価格を集約するよう機能し得る配信業者はマッチングを一切行なわないことが理解されるはずである。気配値のマッチングは依然として、従来のシステムと同様の態様で、匿名取引システムによって行なわれる。
【００２７】
配信業者は信用規則を実施できず、単に取引システムとプライムブローカーカスタマーとの間で取引試行メッセージおよび拒否メッセージを渡すだけであることは、明らかである。しかしながら、取引システム内では、機関が流す価格は、システムの他の当事者と同じ信用規則の支配を受ける。信用限度の使用が、機関のカスタマーのみに価格を見せることが可能になる鍵であることが理解されるであろう。流された価格での取引は、システム上の従来の取引と同じ、マッチング後の信用チェックの支配を受ける。同様に、システムは、取引の完了後に取引伝票を作成する際に、異なる気配値の源を区別しない。
【００２８】
この発明の代替的な一実施例では、機関からの価格の流れは直接、配信業者に供給される。このアプローチは、流された価格を機関のカスタマーにのみ配信できるという利点を持つ一方、単一の価格の流れから世界市場にサービスを提供することはできない。実際には、各主要市場、たとえばロンドン、ニューヨークおよび東京に別個の配信業者を配置することが必要である。図１および図２の実施例では、取引システムのメカニズムが世界中のトレーダーに気配値を配信するよう設計されているため、価格を気配値に変換するための、取引システムへのＡＴＩを介した単一の価格供給は、十分である。ＥＢＳシステムでは、市場配信業者を含む関連するブローカーノードを各々有するアービトレータのクリークが用いられる。このシステムの一バージョンが、ＵＳ５，３７５，０５５（トガー）に開示されており、その内容はここに引用により援用される。価格供給が配信業者に直接供給される場合、好ましくない各配信業者については別個の供給が必要となる。
【００２９】
このシステムは、ＦＸスポットマッチングシステムの状況において説明されてきた。しかしながら、この発明はそのようなシステムに限定されておらず、システムのある当事者がシステムの他の当事者によって入力された気配値を見て取引することを防止するよう、信用限度または他のパラメータが付与されているどのシステムででも使用されてもよい。そのようなシステムは匿名である必要はない。この発明は任意の特定の金融商品に限定されていないが、自動取引システム上で取引可能などの製品にも適用可能である。
【００３０】
価格の流れを気配値の流れに変換することは必ずしも本質的ではない。場合によっては、機関は気配値の流れを出力でき、その場合、さらなる変換はシステムによって必要とされない。
【００３１】
説明した実施例に対する多くの代替および修正が、この発明の範囲内で可能であり、当業者の脳裏に浮かぶであろう。この発明の範囲は、特許請求の範囲によってのみ限定され
る。
【図面の簡単な説明】
【００３２】
【図１】この発明を具現化するシステムの概略図である。
【図２】図１のシステムの改良版である。
【符号の説明】
【００３３】
１０  気配値、１１  自動取引インターフェイス、１２  ＥＢＳシステム、１４  配信業者。
【図１】
2006053927.tif 000003
【図２】
2006053927.tif 000004